(57)【特許請求の範囲】
【請求項１】
撮像部と、前記撮像部で電気信号に変換された画像信号を画像として表示する表示面を有する表示部と、
前記表示部に照射する光の入力部側の前記表示部との距離が、反対側の前記表示部との距離よりも遠くなるように形成された斜面を有し、前記表示部に照射する光を前記斜面にて反射させて該表示部に案内すると共に、前記斜面の前記光の入力部側よりも反対側に近い部分である前記斜面によって薄くなった部分が前記撮像部の後方となるように配置される導光部と、
少なくとも前記表示部と前記導光部を保持し、前記撮像部が少なくとも一部入り込む切欠きを有するホルダ部とを有することを特徴とする撮像装置。
【請求項２】
前記ホルダ部の切欠きは、前記導光部の斜面の前記光の入力部側よりも反対側に近い部分である薄くなった部分に対向する位置に設けられることを特徴とする請求項１記載の撮像装置。
【発明の詳細な説明】
【０００１】
【発明の属する技術分野】
本発明は、表示部を有する電子カメラ等の撮像装置に関するものである。
【０００２】
【従来の技術】
近年、フィルムへの記録の代わりにＣＣＤ等の撮像素子によって画像を光電変換し、内蔵の固体メモリあるいは着脱可能な記録媒体に光電変換した画像データを記録する電子カメラが開発されている。
【０００３】
この電子カメラの多くはカラー液晶パネルを用いたモニタを有し、撮影した画像を再生して表示させたり、撮像素子によって光電変換された画像をそのまま表示してファインダの役目をさせたりしている。
【０００４】
図３は、従来の電子カメラの構造の一例を示す図であり、２１はカメラボディ、２２は撮影レンズ、２３は撮影レンズ２２が取り込んだ被写体光を電気信号に変換するＣＣＤ等の撮像素子、２４は撮像素子２３を保持し、撮影レンズ２２に固定するための撮像素子保持板である。２５は液晶パネル、２６は液晶パネル後方より光を照射するバックライトであり、平面型の冷陰極管を用いて面全体を発光させる平面ランプである。２７は着脱自在の記憶媒体であるメモリーカード、２８はメモリーカード２７を固定するコネクタ、２９はバッテリ、３０はレリーズボタンである。
【０００５】
【発明が解決しようとする課題】
このような構成において、従来、図３に示すように、撮像素子２３の後方に液晶パネル２５、バックライト２６を配置しようとすると、カメラボディの薄型化が困難であるという問題があった。
【０００６】
本発明の目的は、撮像部の後方に表示部を設けても撮像装置の薄型化を図ることのできる構成を提供しようとするものである。
【０００７】
【課題を解決するための手段】
上記目的を達成するために本発明は、撮像部と、前記撮像部で電気信号に変換された画像信号を画像として表示する表示面を有する表示部と、前記表示部に照射する光の入力部側の前記表示部との距離が、反対側の前記表示部との距離よりも遠くなるように形成された斜面を有し、前記表示部に照射する光を前記斜面にて反射させて該表示部に案内すると共に、前記斜面の前記光の入力部側よりも反対側に近い部分である前記斜面によって薄くなった部分が前記撮像部の後方となるように配置される導光部と、少なくとも前記表示部と前記導光部を保持し、前記撮像部が少なくとも一部入り込む切欠きを有するホルダ部とを有することを特徴とする。
【０００８】
【発明の実施の形態】
以下、本発明の実施の形態を図面を参照して説明する。
【０００９】
図１は、本発明の実施の形態に係る電子カメラの構成を示す斜視図である。
【００１０】
図１において、１はカメラボディ、２は撮影レンズでありカメラボディ１の略中心に配置されている。３は撮影レンズ２の後方に配されたＣＣＤ等の撮像素子で、撮影レンズ２が取り込んだ被写体光を受光し、画像信号としての電気信号に変換する。４は撮像素子３を保持し、撮影レンズ２に固定するための撮像素子保持板、５は撮像素子２の後方に配置され、撮像素子２により電気信号に変換された画像信号を画像として表示するための長手方向がカメラの左右方向となるように配置された長方形の液晶パネル、６ａ、６ｂ、６ｃ、６ｄは白色ＬＥＤ、１２は白色ＬＥＤ６ａ、６ｂ、６ｃ、６ｄの光を液晶パネル５に導く導光板で、液晶パネル５と略導形状で、その長辺と短辺が液晶パネル５の長辺と短辺に略重なるように配置されており、その短辺の側面に白色ＬＥＤ６ａ、６ｂ、６ｃ、６ｄが基板１１にはんだ付けされた状態で配置されている。そして液晶パネル５および白色ＬＥＤ６、基板１１、導光板１２はホルダ１３により一体保持されて撮影レンズ２及び撮像素子３の後方に配置されている。７は着脱自在の記憶媒体であるメモリーカード、８はメモリーカード７を固定するコネクタであり、９は撮影レンズ２の側方に配置されたバッテリ、１０はカメラボディ１の上方に配置されたレリーズボタンである。
【００１１】
図２は、図１の電子カメラを上から見た断面図である。
【００１２】
図２に示すように、導光板１２は液晶パネル５とは反対側の面に斜面１２ａを持つ楔形の形状であり、斜面１２ａはカメラに対し左右方向に配され、白色ＬＥＤ６に近い側が厚く、反対側が薄く形成されている。そして，導光板１２の厚い側が白色ＬＥＤ６と共にカメラボディ１の側面側に、薄い側が撮像素子３の後方（真後ろを含む）であって、液晶パネル５の前方、すなわち、撮像素子３と液晶パネル５に挟まれた位置に配置され、液晶パネル５と共にホルダ１３に収められている。これにより、導光板１２の側面より投光された白色ＬＥＤ６の光は、斜面１２ａで反射されて液晶パネル５の背面全体に照射される。そして、この構成では、導光板１２の薄くなった部分によって形成される空間によって撮像素子３の後方への出っ張りを吸収するようにしており、撮像素子３の後方に液晶パネル５を設ける構成であっても、撮像装置の薄型化を達成できるようになっている。
【００１３】
また、ホルダ１３には撮像素子保持板４の後方に穴（切欠き）１３ａがあけられており、この穴１３ａに撮像素子保持板４が入り込むことにより、撮像素子３の後方への出っ張りをホルダ１３の穴１３ａによっても吸収できるようになっており、これにより、撮像装置の更なる薄型化を達成できる構成となっている。
【００１４】
以上の構成において、撮影レンズ２を通った被写体光が撮像素子３に受光されて電気信号に変換され、不図示の信号処理回路で信号処理された後、画像として液晶パネル５に表示される。
【００１５】
そして、レリーズボタン１０が押圧されると、撮影が開始され、撮像素子３に取り込まれた画像信号は、Ａ／Ｄ変換されてメモリーカード８に記録される。
【００１６】
（特許請求の範囲の記載と実施の形態の対応）
以上の実施の形態において、撮像素子３、撮像素子保持板４が特許請求の範囲に記載の撮像部に、液晶パネル５が特許請求の範囲に記載の表示部に、導光板１２が特許請求の範囲に記載の導光部に、白色ＬＥＤ６ａ、６ｂ、６ｃ、６ｄが特許請求の範囲に記載の光源に、ホルダ１３が特許請求の範囲に記載のホルダ部に、それぞれ相当する。
【００１７】
以上が実施の形態の各構成と本発明の各構成の対応関係であるが、本発明は、これら実施の形態の構成に限られるものではなく、請求項で示した機能、または、実施の形態の構成が持つ機能が達成できる構成であればどのようなものであっても適用できるものである。
【００１８】
例えば、以上の実施の形態の白色ＬＥＤ６ａ、６ｂ、６ｃ、６ｄは、冷陰極管のような他の光源であっても本発明は適用できるものであり、その場合、冷陰極管のようなノイズが多く発生する光源であっても、上記実施例のように導光板１２の短辺側に設けることで、撮像素子３から遠くに配置することが可能となり、撮像素子に対する光源ノイズの影響を低減させることができる。
【００１９】
また、以上の実施の形態では、撮像素子３として、ＣＣＤを示したが、これは、ＣＭＯＳ等の他のエリア受光センサや、更には、ラインセンサ等の他の受光センサであっても本発明は適用できるものである。
【００２０】
また、以上の実施の形態では、撮像素子３の後方への出っ張りの一部が導光板１２の薄くなった部分によって形成される空間やホルダ１３の穴１３ａを利用して配置されるようになっているが、これは、撮像素子３の全体が導光板１２の薄くなった部分によって形成される空間やホルダ１３の穴１３ａを利用して配置されるようにしても本発明は適用できるものである。
【００２１】
また、本発明は、特許請求の範囲、または、実施の形態の構成の全体若しくは一部が、１つの装置を形成するものであっても、他の装置と結合するようなものであっても、装置を構成する要素となるようなものであってもよい。
【００２２】
また、本発明は、静止画或いは動画を撮像素子により撮影する電子カメラ、銀塩フィルムを使用するカメラ、一眼レフカメラ、レンズシャッタカメラ、監視カメラ等、種々の形態のカメラ、更には、カメラ以外の撮像装置や、光学装置、その他の装置、更には、それらカメラ、撮像装置、光学装置、その他の装置に適用される装置、そして、これら装置を構成する要素に対しても適用できるものである。
【００２３】
【発明の効果】
以上説明したように、本発明によれば、撮像部の後方に表示部を設けても撮像装置の薄型化を達成できる構成を提供できるものである。
【図面の簡単な説明】
【図１】本発明の実施の形態に係るカメラの構成を示す斜視図である。
【図２】図１のカメラを上方から見た断面図である。
【図３】従来のカメラの構成を示す斜視図である。
【符号の説明】
１  カメラボディ
２  撮影レンズ
３  撮像素子
４  撮像素子保持板
５  液晶パネル
６ａ、６ｂ、６ｃ、６ｄ  白色ＬＥＤ
１１  プリント基板
１２  導光板
１３  ホルダ
【図１】
0003576926.tif 000002
【図２】
0003576926.tif 000003
【図３】
0003576926.tif 000004